【手続補正書】
【提出日】平成18年12月6日(2006.12.6)
【手続補正１】
【補正対象書類名】明細書
【補正対象項目名】特許請求の範囲
【補正方法】変更
【補正の内容】
【特許請求の範囲】
【請求項１】
ユーザーにより又は独自に移動することができ、「擬似的な肉体として機能する部分」を備えた擬似ペットであって、
近傍のエリアに存在する他の擬似ペットに受信されるように、「擬似ペットとしての自らの存在を示す所定の信号」又は「擬似ペットとしての挨拶信号」を、無線で送信するための信号送信手段と、
近傍のエリアに存在する他の擬似ペットから無線で送信された「前記他の擬似ペットとしての自らの存在を示す所定の信号」又は「前記他の擬似ペットとしての挨拶信号」を受信するための信号受信手段と、
を含むことを特徴とする擬似ペット。
【請求項２】
ユーザーが携帯する擬似ペットであって、
他の擬似ペットが近傍のエリアに存在しているとき、自動的に、その近傍のエリアに存在する前記他の擬似ペットに対して「擬似ペットとしての自らの存在を示す所定の信号」又は「擬似ペットとしての挨拶信号」を、無線で送信するための信号送信手段と、
近傍のエリアに存在する他の擬似ペットから無線で送信されてきた「前記他の擬似ペットとしての自らの存在を示す所定の信号」又は「前記他の擬似ペットとしての挨拶信号」を、受信するための信号受信手段と、
を含むことを特徴とする擬似ペット。
【請求項３】
請求項１又は２において、
前記信号受信手段が前記他の擬似ペットからの前記信号を受信したとき、前記信号受信手段からの信号に基づいて自動的に、その信号を送信した前記他の擬似ペットに対して、所定の信号を無線で返信するための信号返信手段、を含むことを特徴とする擬似ペット。
【請求項４】
請求項１から３までのいずれかにおいて、
近傍のエリアにユーザー以外の他の人間が存在していることを検知するための人体検知手段を備え、
前記信号送信手段は、前記人体検知手段からの出力に基づいて自動的に、前記信号を無線で送信するものである、ことを特徴とする擬似ペット。
【請求項５】
請求項１から４までのいずれかにおいて、
近傍のエリアに他の擬似ペットが存在していることを検知するための擬似ペット検知手段を備え、
前記信号送信手段は、前記擬似ペット検知手段からの出力に基づいて自動的に、前記信号を無線で送信するものである、ことを特徴とする擬似ペット。
【請求項６】
請求項１から５までのいずれか一つにおいて、
前記信号送信手段から前記信号を送信するとき又はしたとき、そのことを、ユーザーに報知するための送信報知手段、を備えたことを特徴とする擬似ペット。
【請求項７】
請求項１から５までのいずれか一つにおいて、
前記信号送信手段から前記信号を送信するとき又はしたとき、そのこと又は前記信号を送信する若しくは送信した側の擬似ペットの存在もしくはその居場所を、周囲の人に報知するための送信側報知手段、を備えたことを特徴とする擬似ペット。
【請求項８】
請求項１から７までのいずれか一つにおいて、
前記信号受信手段により前記信号を受信したとき、そのことを、ユーザーに報知するための受信報知手段、を備えたことを特徴とする擬似ペット。
【請求項９】
請求項１から８までのいずれか一つにおいて、
前記信号受信手段により前記信号を受信したとき、そのこと又は前記信号を受信した側の擬似ペットの存在もしくはその居場所を、周囲の人に報知するための受信側報知手段、を備えたことを特徴とする擬似ペット。
【請求項１０】
請求項３において、
前記信号返信手段により信号を返信するとき、そのことを、ユーザーに報知するための返信報知手段、を備えたことを特徴とする擬似ペット。
【請求項１１】
請求項３において、
前記信号返信手段により信号を返信するとき、そのこと又は前記返信する側の擬似ペットの存在又はその居場所を周囲の人に報知するための返信側報知手段を備えた、ことを特徴とする擬似ペット。
【請求項１２】
請求項５において、
前記擬似ペット検知手段が近傍のエリアに他の電子生物生存装置が存在していることを検知したとき、前記擬似ペット検知手段からの出力に基づいて、近傍のエリアに他の擬似ペットが存在していることを、ユーザーに報知するための検知報知手段、を備えたことを特徴とする擬似ペット。
【請求項１３】
請求項１から１２までのいずれか一つにおいて、
擬似ペットに関するデータを記録しておくための擬似ペットデータ記録手段と、
前記擬似ペットデータ記録手段に記録された擬似ペットデータを、前記信号送信手段による送信する信号と共に又はこの信号とは別にこの信号の後に、他の擬似ペットに対して送信するための擬似ペットデータ送信手段と、
他の擬似ペットから送信された前記他の擬似ペットに関する他の擬似ペットデータを受信するための他の擬似ペットデータ受信手段と、
前記他の擬似ペットデータ受信手段により受信された前記他の擬似ペットデータを出力するための他の擬似ペットデータ出力手段と、
を備えたことを特徴とする擬似ペット。
【請求項１４】
請求項１から１３までのいずれかにおいて、
擬似ペットの飼い主であるユーザーに関するユーザー・データを記録しておくためのユーザー・データ記録手段と、
前記ユーザー・データ記録手段に記録されたユーザー・データを、前記信号送信手段により送信される信号と共に又はこの信号とは別にこの信号の後に、他の擬似ペットに対して送信するためのユーザー・データ送信手段と、
他の擬似ペットから送信された前記他の擬似ペットの飼い主である他のユーザーに関する他のユーザー・データを受信するための他のユーザー・データ受信手段と、
前記他のユーザー・データ受信手段により受信された前記他のユーザー・データを出力するための他のユーザー・データ出力手段と、
を備えたことを特徴とする擬似ペット。
【請求項１５】
請求項１３において、
他の擬似ペットから送信された前記他の擬似ペットに関する他の擬似ペットデータと自らの擬似ペットデータとを比較して、双方の擬似ペットデータの間の類似度又は相性度を判定するための類似度又は相性度判定手段と、
前記類似度又は相性度判定手段による判定結果を出力するための判定結果出力手段と、
を含むことを特徴とする擬似ペット。
【請求項１６】
請求項１４において、
他の擬似ペットから送信された前記他の擬似ペットの飼い主である他のユーザーに関する他のユーザー・データと自らのユーザー・データとを比較して、双方のユーザーの間の類似度又は相性度を判定するための類似度又は相性度判定手段と、
前記類似度又は相性度判定手段による判定結果を出力するための判定結果出力手段と、
を含むことを特徴とする擬似ペット。
【請求項１７】
請求項１から１６までのいずれか一つにおいて、
前記他の擬似ペットから送信された所定の信号を受信したとき、その信号を受信したことに基づいて自動的に、前記他の擬似ペットに対して、「自らの擬似ペットに関するデータを送信してもよいかどうかを問い合わせるための問い合わせ信号」又は「自らの飼い主であるユーザーに関するデータを送信してもよいかどうかを問い合わせるための問い合わせ信号」を送信するための問合せ信号送信手段、を備えたことを特徴とする擬似ペット。
【請求項１８】
互いに近傍のエリア内に存在する少なくとも２つの擬似ペットの間で、擬似ペット同士が無線で交信して、相互間の鳴き声のやり取り、会話のやり取り、ゲームのやり取り、戦闘のやり取り、又はお見合いのやり取りなどのような「情報のやり取り」を、「ユーザーによる、そのための操作」を介することなく自動的に、行うための自発的交信手段を備えた、ことを特徴とする擬似ペット。